(57)【要約】【課題】加熱手段による加熱量が小さいときであっても、使用者に冷風感を与えることなく室内空気を効率的に攪拌することができる温風暖房機を提供する。【解決手段】加熱手段３により空気を加熱した温風を温風吹出し口１０から本体ケーシング２の前方に送出する第１送風機４と、温風と異なる経路で空気を送風口１１から本体ケーシング２の上方に送出する第２送風機５とを備える。第１送風機４は、第１送風制御手段２５によって加熱手段３の加熱量に対応した風量に制御される。第２送風機５は、第１送風制御手段２５に連動する第２送風制御手段２６によって、第１送風機４が所定風量以下のときに作動するように制御される。【選択図】図１
2015094484.tif 000002
【特許請求の範囲】
【請求項１】
床置きされる本体ケーシングの前面に形成された温風吹出し口から室内に温風を吹き出す温風暖房機において、
室内から前記本体ケーシング内に取り入れた空気を加熱する加熱手段と、
該加熱手段により加熱された空気を温風として前記温風吹出し口から室内に送り出す第１送風機と、
前記加熱手段により加熱される空気と異なる経路で室内から前記本体ケーシング内に取り入れた空気を前記本体ケーシングの上面に形成された送風口から室内に送り出す第２送風機と、
前記加熱手段の加熱量の増減に応じて前記第１送風機の風量を制御する第１送風制御手段と、
該第１送風制御手段による前記第１送風機の制御に連動して前記第２送風機の作動及び停止を制御する第２送風制御手段とを備え、
該第２送風制御手段は、前記第１送風制御手段が前記第１送風機を所定風量を超えるように制御しているとき、前記第２送風機を停止状態とし、前記第１送風制御手段が前記第１送風機を所定風量以下となるように制御したとき前記第２送風機を作動させることを特徴とする温風暖房機。
【請求項２】
請求項１記載の温風暖房機であって、
室内の温度を検出する室温検出手段と、
設定温度を入力する設定温度入力手段と、
該設定温度入力手段に入力された設定温度を目標温度として、前記室温検出手段の検出温度と前記目標温度とが一致するように、前記加熱手段の加熱量を制御する加熱量制御手段とを備えるものにおいて、
前記第２送風制御手段は、前記室温検出手段の検出温度と前記目標温度とが所定の温度差を超えているとき、当該所定の温度差となるまで前記第１送風機の制御との連動を解除すると共に前記第２送風機を作動させることを特徴とする温風暖房機。
【請求項３】
請求項１又は２記載の温風暖房機において、
前記第１送風制御手段の制御に対する前記第２送風制御手段の連動と連動解除とを手動操作により選択する連動選択操作手段を備えることを特徴とする温風暖房機。
【発明の詳細な説明】
【技術分野】
【０００１】
本発明は、温風により室内の暖房を行う温風暖房機に関する。
【背景技術】
【０００２】
この種の温風暖房機は、室内から本体ケーシング内に取り入れた空気を加熱する加熱手段と、加熱手段により加熱された空気を温風として本体ケーシングから室内に送り出す送風機とを備えている。そして、加熱手段と送風機とにより生成される温風は本体ケーシングの温風吹出し口から室内に吹き出され、このときの温風による室内空気の攪拌作用によって、室内の温度分布の均一化が図られている。
【０００３】
また、この種の温風暖房機においては、室内温度と設定温度とに基づいて加熱手段の加熱量が決定され、加熱量の増減に応じて送風機の風量を増減するようになっているものがある。このものでは、加熱量が大きいときは送風機の風量も大きく、加熱量が小さいときは送風機の風量も小さくなる。
【０００４】
しかし、送風機の風量が小さいと、温風が遠くまで届き難くなるため温風による室内空気の攪拌作用が十分に得られない。このため、暖められた空気が天井付近にのみ溜まり、天井付近の温度と床面近くの温度との差が大きくなる。
【０００５】
そこで、室内の温度変化に応じて、加熱手段による加熱量が小さいときであっても送風機の風量を大きくして、室内空気の攪拌作用を向上させるようにした温風暖房機が提案されている（特許文献１参照）。
【先行技術文献】
【特許文献】
【０００６】
【特許文献１】特開２００９−２０４２８３号公報
【発明の概要】
【発明が解決しようとする課題】
【０００７】
しかし、加熱手段による加熱量が小さいときに送風機の風量を大きくすると、温風の温度が比較的低くなる。特に、本体ケーシングの前面に温風吹出し口が形成されている床置き式の温風暖房機においては、温風吹出し口から吹き出される温風に使用者が触れ易く、風量が大きく温度が比較的低い温風に当たる使用者に冷風感を与える不都合がある。
【０００８】
上記の点に鑑み、本発明は、加熱手段による加熱量が小さいときであっても、使用者に冷風感を与えることなく室内空気を効率的に攪拌することができる温風暖房機を提供することを目的とする。
【課題を解決するための手段】
【０００９】
かかる目的を達成するために、本発明は、床置きされる本体ケーシングの前面に形成された温風吹出し口から室内に温風を吹き出す温風暖房機において、室内から前記本体ケーシング内に取り入れた空気を加熱する加熱手段と、該加熱手段により加熱された空気を温風として前記温風吹出し口から室内に送り出す第１送風機と、前記加熱手段により加熱される空気と異なる経路で室内から前記本体ケーシング内に取り入れた空気を前記本体ケーシングの上面に形成された送風口から室内に送り出す第２送風機と、前記加熱手段の加熱量の増減に応じて前記第１送風機の風量を制御する第１送風制御手段と、該第１送風制御手段による前記第１送風機の制御に連動して前記第２送風機の作動及び停止を制御する第２送風制御手段とを備え、該第２送風制御手段は、前記第１送風制御手段が前記第１送風機を所定風量を超えるように制御しているとき、前記第２送風機を停止状態とし、前記第１送風制御手段が前記第１送風機を所定風量以下となるように制御したとき前記第２送風機を作動させることを特徴とする。
【００１０】
本発明の温風暖房機は、温風を送出するための第１送風機だけでなく、室内の空気を加熱することなく送出するための第２送風機を備えている。第１送風機によって送出される温風は、温風吹出し口を介して本体ケーシングの前方に向かうが、第２送風機によって送出される非加熱風は、送風口を介して本体ケーシングの上方に向かう。
【００１１】
第１送風機は、第１送風制御手段によって加熱手段の加熱量に応じた風量に制御される。第１送風制御手段による第１送風機の制御は、具体的には、加熱手段の加熱量が大であるとき第１送風機の風量を大とし、加熱手段の加熱量が小であるとき第１送風機の風量を小とする。
【００１２】
一方、第２送風機は、第２送風制御手段によって第１送風制御手段に連動して作動及び停止が制御される。そして、第２送風制御手段は、第１送風機が所定風量を超えて温風を送出しているとき（温風の風量が大きいとき）には第２送風機を停止させておくが、第１送風機が所定風量以下で温風を送出したとき（温風の風量が小さいとき）、第２送風機を作動させる。
【００１３】
これによれば、加熱手段の加熱量が小さいとき、第１送風機の風量が小さい状態で、第２送風機が作動して本体ケーシングの上方に向かう空気流が形成されるので、天井付近の暖気が第２送風機によって形成される上向きの空気流によって攪拌される。
【００１４】
従って、加熱手段の加熱量が小さいときであっても第１送風機の風量を大きくすることなく室内の温度分布を確実に均一化することができる。更に、加熱手段の加熱量が小さいときには第１送風機の風量も小さく維持できるので、本体ケーシングの前方に吹き出す温風の温度低下が抑制され、温風に触れた使用者が冷風感を覚えることも防止できる。
【００１５】
また、本発明の温風暖房機において、室内の温度を検出する室温検出手段と、設定温度を入力する設定温度入力手段と、該設定温度入力手段に入力された設定温度を目標温度として、前記室温検出手段の検出温度と前記目標温度とが一致するように、前記加熱手段の加熱量を制御する加熱量制御手段とを備えるものでは、前記第２送風制御手段は、前記室温検出手段の検出温度と前記目標温度とが所定の温度差を超えているとき、当該所定の温度差となるまで前記第１送風機の制御との連動を解除すると共に前記第２送風機を作動させることが好ましい。
【００１６】
前記加熱手段による加熱開始時（暖房運転の開始時）等には、室内温度と設定温度（目標温度）との差が極めて大きい場合がある。そしてこの場合には、第１送風機の風量を大きくしても、室内全体の温度が均一になるまで比較的長い時間がかかるおそれがある。
【００１７】
そこで、第２送風制御手段は、室温検出手段の検出温度と目標温度とが所定の温度差を超えているときには第２送風機を作動させ、室温検出手段の検出温度と目標温度とが所定の温度差以下となったとき第２送風機を停止させる。この間、第２送風制御手段は、第１送風機の制御との連動を解除することにより、第１送風機の風量が大きくても第２送風機を作動させることができる。
【００１８】
こうすることにより、加熱手段による加熱開始時に室内温度と設定温度（目標温度）との差が極めて大きいときには、第１送風機の大きな風量に加えて第２送風機の作動による上方への空気流を形成して攪拌作用を増大させることができ、室内温度を迅速に均一化することができる。
【００１９】
なお、室温検出手段の検出温度と目標温度とが所定の温度差を超えていない場合、及び所定の温度差以下となったときには、第２送風制御手段は第１送風制御手段と連動し、第１送風制御手段が第１送風機を所定風量以下となるように制御したとき第２送風機を作動させる。
【００２０】
また、本発明の温風暖房機においては、前記第１送風制御手段の制御に対する前記第２送風制御手段の連動と連動解除とを手動操作により選択する連動選択操作手段を備えることが好ましい。
【００２１】
第２送風機が作動すると室内に空気流が生じるが、第２送風機によって室内に送出される空気は温風でないために、この空気流に触れた使用者に対して稀に冷風感を与える場合がある。また、使用者の就寝時等の静かな環境においては、使用者が第２送風機の作動音を騒音として感じる場合がある。
【００２２】
そこで、前記連動選択操作手段を備えることにより、使用者が第２送風機の作動を望まないとき、前記第１送風制御手段に対する前記第２送風制御手段の連動を解除して、第２送風機を作動させないようにすることができる。
【図面の簡単な説明】
【００２３】
【図１】本発明の実施形態である温風暖房機の構成を模式的に示す断面図。
【図２】本実施形態のコントローラの機能的構成を示すブロック図。
【図３】第２送風制御手段の作動の一例を示すフローチャート。
【図４】第２送風制御手段の他の作動を示すフローチャート。
【発明を実施するための形態】
【００２４】
本発明の実施形態を図面に基づいて説明する。本実施形態の温風暖房機１は、図１に示すように、床置きされる本体ケーシング２を備え、この本体ケーシング２内には、加熱手段３と、第１送風機４と、第２送風機５と、コントローラ６とが収容されている。
【００２５】
本体ケーシング２の前面上部には、複数のスイッチや表示部からなる操作パネル７が設けられている。本体ケーシング２の背面には、第１空気取り入れ口８と、第１空気取り入れ口８の上部に隣接する第２空気取り入れ口９とが形成されている。本体ケーシング２の前面には温風吹出し口１０が形成され、本体ケーシング２の上面には送風口１１が形成されている。
【００２６】
本体ケーシング２の内部には、第１隔壁板１２により仕切られた第１空気通路１３と、第２隔壁板１４により仕切られて第１空気通路１３と異なる経路とされた第２空気通路１５とが形成されている。
【００２７】
第１空気通路１３は、上流端が第１空気取り入れ口８により開放されると共に、下流端が温風吹出し口１０により開放され、その内部に加熱手段３と第１送風機４とが配設されている。
【００２８】
第２空気通路１５は、上流端が第２空気取り入れ口９により開放されると共に、下流端が送風口１１により開放され、その内部に第２送風機５が配設されている。
【００２９】
加熱手段３は、ガスバーナ１６と、ガスバーナ１６を収容するバーナ収容部１７とを備えている。バーナ収容部１７の上部には排気口１８が形成され、排気口１８から放出される高温の燃焼排気と第１空気取り入れ口８から取り入れた比較的低い温度の空気とが混合されることによって第１空気通路１３内の空気が適度に加熱される。第１空気通路１３の内部で加熱された空気は、第１送風機４によって温風として温風吹出し口１０から室内に送出される。
【００３０】
第１送風機４は、第１ファン１９（本実施形態ではクロスフロータイプのファンが採用されている）と、第１ファン１９を回転駆動するための第１ファンモータ２０とを有し、第１ファン１９の回転によって、第１空気取り入れ口８から室内空気を第１空気通路１３に取り入れると共に、加熱手段３によって加熱された空気を温風として温風吹出し口１０から前方に向かって送出する。
【００３１】
第２送風機５は、第２ファン２１（本実施形態ではプロペラタイプのファンが採用されている）と、第２ファン２１を回転駆動するための第２ファンモータ２２とを有し、第２ファン２１の回転によって、第２空気取り入れ口９から室内空気を第２空気通路１５に取り入れると共に、この室内空気を送風口１１から上方に向かって送出する。第２空気通路１５が第１空気通路１３と異なる経路で形成されていることによって、加熱されていない状態の空気が送風口１１から送出される。
【００３２】
また、第１空気取り入れ口８の近傍には、第１空気取り入れ口８に取り入れられる空気により室内の温度を検出する室温センサ２３（室温検出手段）が設けられている。室温センサ２３は、図示しないリード線を介してコントローラ６に接続されている。
【００３３】
コントローラ６は、図２に示すように、ガスバーナ１６の燃焼量を制御する燃焼量制御部２４（加熱量制御手段）と、第１ファンモータ２０の回転数（第１送風機４の送風量）を制御する第１送風制御部２５（第１送風制御手段）と、第２ファンモータ２２のＯＮ／ＯＦＦ（第２送風機５の作動と停止）を制御する第２送風制御部２６（第２送風制御手段）とを備えている。
【００３４】
コントローラ６は、操作パネル７が備える運転スイッチ２７が使用者によりＯＮ操作されると、第１送風機４を作動させてガスバーナ１６に対する点火処理を行い、暖房運転を開始させる。
【００３５】
燃焼量制御部２４は、操作パネル７が備える温度設定スイッチ２８（設定温度入力手段）から入力された設定温度を目標温度とし、室温センサ２３の検出温度（室温）が目標温度と一致するように、ガスバーナ１６の燃焼量（第１空気通路１３内部の空気の加熱量）を制御する。
【００３６】
即ち、燃焼量制御部２４は、室温センサ２３の検出温度と目標温度との差が大きいときは、ガスバーナ１６の燃焼量を大とし、室温センサ２３の検出温度が目標温度になったとき（或いは、室温センサ２３の検出温度が目標温度の近傍の温度なったときとしてもよい）、ガスバーナ１６の燃焼量を低下させる。これにより、一定室温が保持されるようにするが、その後、室温センサ２３の検出温度と目標温度との差が大きくなった場合には、燃焼量制御部２４は、ガスバーナ１６の燃焼量を増加させる。
【００３７】
第１送風制御部２５は、燃焼量制御部２４によるガスバーナ１６の制御に連動して第１送風機４を制御する。即ち、第１送風制御部２５は、ガスバーナ１６の燃焼量が大とされているとき、第１ファンモータ２０の回転数を大とすることにより、温風吹出し口１０から送出される風量を大とする。また、第１送風制御部２５は、ガスバーナ１６の燃焼量が低下すると、これに応じて第１ファンモータ２０の回転数を低下させ、温風吹出し口１０から送出される風量を小とする。
【００３８】
第２送風制御部２６は、第１送風制御部２５による第１送風機４の制御に連動して第２送風機５の作動及び停止を制御する。なお、操作パネル７には使用者の操作により第１送風制御部２５と第２送風制御部２６との連動を解除する連動解除スイッチ２９（連動選択操作手段）が設けられ、この連動解除スイッチ２９の操作により連動が解除されると、それ以降、第２送風制御部２６は第２ファンモータ２２をＯＦＦ（第２送風機５を停止）状態とする。
【００３９】
第２送風制御部２６の作動の一例を図３を参照して説明すれば以下の通りである。ＳＴＥＰ１で運転スイッチ２７がＯＮ操作されると、コントローラ６は、ＳＴＥＰ２でガスバーナ１６の点火処理を行う。この点火処理に際して、コントローラ６は、第１ファンモータ２０をＯＮとするが、第２ファンモータ２２はＯＦＦとする。
【００４０】
続いて、ＳＴＥＰ３で燃焼量制御部２４が室温センサ２３の検出温度と目標温度と一致させるべくガスバーナ１６の燃焼量（加熱手段３の加熱量）を調整し、ＳＴＥＰ４で第１送風制御部２５がガスバーナ１６の燃焼量に応じて第１ファンモータ２０の回転数（第１送風機４の風量）を調整する。
【００４１】
次いで、コントローラ６は、ＳＴＥＰ５において連動解除スイッチ２９の操作により第１送風制御部２５と第２送風制御部２６との連動が解除さていると判断した場合はＳＴＥＰ８へ進んで第２ファンモータ２２をＯＦＦ（第２送風機５を停止）状態とし、連動が解除さていないと判断した場合はＳＴＥＰ７へ進む。
【００４２】
ＳＴＥＰ７に進むと、第２送風制御部２６は、第１送風制御部２５による第１ファンモータ２０の制御を監視する。そして、ＳＴＥＰ７において第１送風制御部２５により第１ファンモータ２０が所定回転数を超えるように（第１送風機４が所定風量を超えるように）制御されている場合、第２送風制御部２６は、ＳＴＥＰ８へ進み、第２ファンモータ２２をＯＦＦ（第２送風機５を停止）状態とする。一方、ＳＴＥＰ７において第１送風制御部２５により第１ファンモータ２０が所定回転数以下となるように（第１送風機４が所定風量以下となるように）制御されたと判断された場合、第２送風制御部２６は、ＳＴＥＰ９へ進み、第２ファンモータ２２をＯＮ（第２送風機５を作動）状態とする。
【００４３】
第１送風制御部２５により第１ファンモータ２０の回転数が所定回転数以下となるように制御されるとき、即ち、加熱手段３の加熱量が小さく第１送風機４の風量が小さいときには、本体ケーシング２の前面の温風吹出し口１０から室内に吹き出される温風が弱い。このため、温風による室内空気の攪拌は十分に行われず、天井付近にのみ暖気が溜まってしまうおそれがある。しかし、このとき、以上の説明の通り、第２送風制御部２６が第２送風機５を作動させ、空気を本体ケーシング２の上面の送風口１１から室内に送出する。これにより、送風口１１から室内の天井に向かう空気流が形成されて室内空気が攪拌され、天井付近に暖気が溜まることなく室内の温度分布を均一にすることができる。しかも、第２送風機５によって室内空気が攪拌されるから、加熱手段３の加熱量が小さいときに第１送風機４の風量を攪拌のため増加させる必要がない。従って、本体ケーシング２の前面の温風吹出し口１０から室内に吹き出される温風の温度低下が防止され、温風に触れた使用者が冷風感を覚えることもない。
【００４４】
また、第２送風機５の作動に際しては、温風でない空気が送風口１１から送出されて、これによる空気流が室内に形成される。しかし、使用者がこの空気流を冷風と感じる場合や、第２送風機の作動音を騒音として感じる場合がある。このように使用者が第２送風機５の作動を望まない場合には、以上の説明の通り、連動解除スイッチ２９を操作して第１送風制御部２５と第２送風制御部２６との連動を解除することで、第２送風機５を停止状態として暖房運転が行える。
【００４５】
更に、本実施形態の温風暖房機１は、第２送風機５を備えることにより、暖房運転初期の室温を迅速に上昇させることも可能である。この場合の第２送風制御部２６の作動を図４を参照して説明する。図４に示す第２送風制御部２６の作動においては、図３に示した第２送風制御部２６の作動のＳＴＥＰ５とＳＴＥＰ７との間にＳＴＥＰ６ａ〜ＳＴＥＰ６ｆを追加したものとなっている。ＳＴＥＰ１〜ＳＴＥＰ５及びＳＴＥＰ７〜ＳＴＥＰ９は上述した通りであるので、その説明は省略する。
【００４６】
図４において、ＳＴＥＰ５を経てＳＴＥＰ６ａに進むと、第２送風制御部２６は、目標温度（温度設定スイッチ２８から入力された設定温度）と室温（室温センサ２３の検出温度）との差が予め設定されている所定の温度差を超えているか否かを判断する。ＳＴＥＰ６ａにおいて目標温度と室温との差が所定の温度差を超えていない場合（目標温度と室温との差が所定の温度差以下である場合）にはＳＴＥＰ７へ進む。ＳＴＥＰ７以降は、前述した通りである。
【００４７】
ＳＴＥＰ６ａの判断で用いる所定の温度差の具体的な値は、温風暖房機１の暖房能力に応じて適宜定められるものであるが、例えば８℃〜１２℃程度の値がこの時の温度差として用いられる。目標温度と室温とが所定の温度差を超えるとき、室温が極度に低い状態で暖房運転を開始されたことが考えられる。一般に寒冷期には、目標温度と室温との温度差が１５℃以上になる場合もあるからである。そして、ＳＴＥＰ６ａにおいて目標温度と室温との差が所定の温度差を超えている場合には、第２送風制御部２６は、ＳＴＥＰ６ｂへ進んで、第１送風制御部２５との連動を解除し、更に、ＳＴＥＰ６ｃへ進んで第２ファンモータ２２をＯＮ（第２送風機５を作動）状態とする。そして、第２送風制御部２６は、ＳＴＥＰ６ｄへ進み、目標温度と室温とが前記所定の温度差以下となるまで第２ファンモータ２２のＯＮ状態を維持する。この間、第２送風制御部２６は、第１送風制御部２５との連動を解除した状態にあって、第１送風機４の風量の大小によらず第２送風機５が作動状態となる。
【００４８】
そして、目標温度と室温とが前記所定の温度差以下となったとき、第２送風制御部２６は、ＳＴＥＰ６ｅで第２ファンモータ２２をＯＦＦ（第２送風機５を停止）状態とし、更に、ＳＴＥＰ６ｆで第１送風制御部２５との連動を復帰させてＳＴＥＰ７へ進む。
【００４９】
以上のように、第２送風制御部２６がＳＴＥＰ６ａ〜ＳＴＥＰ６ｆの動作を行うことで、室内温度を目標温度に向かって急速に上昇させることができる。即ち、暖房運転を開始した初期等に室温が極度に低い状態のときには、燃焼量制御部２４の制御によりガスバーナ１６の燃焼量（加熱手段３の加熱量）が最大とされ、第１送風制御部２５の制御により第１ファンモータ２０の回転数（第１送風機４の風量）も最大とされる。このとき同時に、第２送風機５が作動状態となることで、第１送風機４の最大風量となっている温風と第２送風機５による送風とで室内空気を大きく攪拌することができ、室内温度を急速に上昇させて早期に快適な暖房を得ることができる。
【符号の説明】
【００５０】
１…温風暖房機、２…本体ケーシング、３…加熱手段、４…第１送風機、５…第２送風機、１０…温風吹出し口、１１…送風口、２３…室温センサ（室温検出手段）、２４…燃焼量制御部（加熱量制御手段）、２５…第１送風制御部（第１送風制御手段）、２６…第２送風制御部（第２送風制御手段）、２８…温度設定スイッチ（設定温度入力手段）、２９…連動解除スイッチ（連動選択操作手段）。
【図１】
2015094484.tif 000003
【図２】
2015094484.tif 000004
【図３】
2015094484.tif 000005
【図４】
2015094484.tif 000006